(57)【要約】      （修正有）【課題】ピンチ操作などのタッチ操作を確実に行うことができる手袋を提供する。【解決手段】ピンチ操作時のように、人差し指Ｂの腹部Ｂ１を、手袋本体１の導電性食指部１ａを介してタッチパネルと角度が付くように接触させても、導電性食指部１ａの親指側部位１ａ１の面積よりも中指側部位１ａ２の面積が広い。さらに親指Ｃの腹部Ｃ１を、手袋本体１の導電性母指部１ｂを介してタッチパネルと角度が付くように接触させても、導電性母指部１ｂの人差し指側部位１ｂ１の面積よりも反対側部位１ｂ２の面積が広い。そのため、タッチパネルとの接触面積が減らず、タッチパネルと人差し指Ｂの腹部Ｂ１や親指Ｃの腹部Ｃ１に伝わる通電量が保たれる。【選択図】図１
0003180443.tif 000002
【実用新案登録請求の範囲】
【請求項１】
人差し指の腹部と対向し接触する導電性食指部と、
親指の腹部と対向し接触する導電性母指部と、を有する手袋本体を備え、
前記導電性食指部を、その親指側部位の面積よりも中指側部位の面積が広くなるように形成し、前記導電性母指部を、その人差し指側部位の面積よりも反対側部位の面積が広くなるように形成したことを特徴とする手袋。
【請求項２】
前記導電性食指部において前記手袋本体の掌部側に配置される端縁部位を直線状で且つ傾斜するように形成し、前記導電性母指部において前記手袋本体の前記掌部側に配置される端縁部位を直線状で且つ傾斜するように形成したことを特徴とする請求項１記載の手袋。
【請求項３】
前記前記手袋本体の掌部側の表面において、前記導電性食指部及び前記導電性母指部を除いた箇所に、滑り止め部材と緩衝用パッドが設けられることを特徴とする請求項１又は２記載の手袋。
【請求項４】
前記手袋本体の前記導電性食指部と前記人差し指の前記腹部の間に設けられる内側導電性食指部と、
前記手袋本体の前記導電性母指部と前記親指の前記腹部の間に設けられる内側導電性母指部と、を有する内手袋を備え、
前記内手袋は、前記手袋本体の前記導電性食指部が前記内側導電性食指部を介して前記人差し指の前記腹部と接触するとともに、前記手袋本体の前記導電性母指部が前記内側導電性母指部を介して前記親指の前記腹部と接触するように配置されることを特徴とする請求項１、２又は３記載の手袋。
【考案の詳細な説明】
【技術分野】
【０００１】
本考案は、着用したままで携帯端末などに搭載されたタッチパネルを操作することが可能な手袋に関する。
【背景技術】
【０００２】
従来、この種の手袋として、指を収納するための指袋を有する手袋本体部と、手袋本体部の内部に設けられる内布とからなり、手袋本体部の指袋において、指の末節が収容される末節収容部が露出した露出末節収容部が形成され、この露出末節収容部が導電性素材（導電性繊維）を編みこんで編成された布帛等で形成される。内布の人差し指袋の露出末節収容部に対応する部分には、導電性部材が設けられ、この導電性部材は、人差し指の腹側部と内布の内部との間に設けられた内部部材と、内布の外部と露出末節収容部の内部との間に設けられた外部部材と、この内部部材と外部部材を電気的に接続する連結部材から構成される。内布の内布対応部に収容した人差し指の腹側部でタッチパネルに触れれば、タッチパネルからの電気は、露出末節収容部の腹側の外部から内布の外部部材に流れ、連結部材を伝って内部部材に流れ、内部部材を介して人差し指に流れ、手袋をはいたままタッチパネルを操作できるようにしたものがある（例えば、特許文献１参照）。
【先行技術文献】
【特許文献】
【０００３】
【特許文献１】登録実用新案第３１６４３９２号公報
【考案の概要】
【考案が解決しようとする課題】
【０００４】
ところで、スマートフォンなどにおけるタッチパネルの操作には、タッチパネルに対して人差し指と親指を同時に接触させつつ、人差し指と親指で摘むように移動して、画面を拡大縮小させる「ピンチ」という基本操作がある。
しかし乍ら、このような従来の手袋では、ピンチ操作時などのように、人差し指や親指をその腹側に角度が付くようにタッチパネルと接触させると、人差し指や親指の腹側とタッチパネルの接触面積が著しく減り、タッチパネルから人差し指や親指の腹側に伝わって流れる電気量も減少し、タッチ操作を確実に行えないことがあった。
それにより、ピンチ操作時などの指先をタッチパネルに対して傾ける操作では、わざわざ手袋を外さなければならず、不便であるという問題があった。
【０００５】
本考案は、このような問題に対処することを課題とするものでありピンチ操作などのタッチ操作を確実に行うこと、などを目的とするものである。
【課題を解決するための手段】
【０００６】
このような目的を達成するために本考案は、人差し指の腹部と対向し接触する導電性食指部と、親指の腹部と対向し接触する導電性母指部と、を有する手袋本体を備え、前記導電性食指部を、その親指側部位の面積よりも中指側部位の面積が広くなるように形成し、前記導電性母指部を、その人差し指側部位の面積よりも反対側部位の面積が広くなるように形成したことを特徴とする。
【考案の効果】
【０００７】
前述した特徴を有する本考案は、ピンチ操作時のように、人差し指の腹部を、手袋本体の導電性食指部を介してタッチパネルと角度が付くように接触させても、導電性食指部の親指側部位の面積よりも中指側部位の面積が広く、さらに親指の腹部を、手袋本体の導電性母指部を介してタッチパネルと角度が付くように接触させても、導電性母指部の人差し指側部位の面積よりも反対側部位の面積が広いため、タッチパネルとの接触面積が減らず、タッチパネルと人差し指の腹部や親指の腹部に伝わる通電量が保たれる。
したがって、ピンチ操作などのタッチ操作を確実に行うことができる。
その結果、ピンチ操作時などのように、人差し指や親指をその腹側に角度が付くようにタッチパネルと接触させると、人差し指や親指の腹側とタッチパネルの接触面積が著しく減り、タッチパネルから人差し指や親指の腹側に伝わって流れる電気量も減少する従来のものに比べ、ピンチ操作時などの指先をタッチパネルに対して傾ける操作であっても、手袋を外すことなく着用したままで行えて、操作性に優れて便利である。
【図面の簡単な説明】
【０００８】
【図１】本考案の実施形態に係る手袋を示す説明図であり、（ａ）が指先の部分拡大縦断面図、（ｂ）が手袋本体と内手袋を分離した時の正面図である。
【図２】手袋の全体構成を示す斜視図である。
【考案を実施するための形態】
【０００９】
以下、本考案の実施形態を図面に基づいて詳細に説明する。
本考案の実施形態に係る手袋Ａは、例えばスマートフォン、タブレットコンピュータ、携帯ゲーム機、携帯音楽プレーヤーやそれに類似する携帯端末などに搭載されたタッチパネル（タッチスクリーン、タッチ画面）を、着用したままで操作することが可能なタッチパネル対応グローブである。
詳しく説明すると、本考案の実施形態に係る手袋（タッチパネル対応グローブ）Ａは、図１（ａ）（ｂ）及び図２に示すように、人差し指Ｂの腹部Ｂ１と対向する導電性食指部１ａと、親指Ｃの腹部Ｃ１と対向する導電性母指部１ｂと、を主要な構成要素として有する手袋本体１を備えている。
また、本考案の実施形態に係る手袋Ａは、図１（ａ）（ｂ）に示されるように、手袋本体１の内側に内手袋２を備えた防寒用の二重手袋にすることも可能である。
つまり、手袋本体１のみで内手袋２を備えていない単層構造のグローブであってもよいし、手袋本体１を外手袋として内手袋２が重ね合わされた二重構造のグローブであってもよい。
【００１０】
手袋本体１は、主に人工皮革や防水性素材やレザーなどのシート材料で構成されるグローブであり、少なくとも人差し指Ｂと親指Ｃを挿入するための２つの筒状部分が形成されるか、又は５本の指を挿入するための５つの筒状部分が形成される。
手袋本体１の掌部１ｐ側には、人差し指Ｂの腹部Ｂ１、すなわち指先の内側と対向して接触可能な導電素材からなる導電性食指部１ａと、親指Ｃの腹部Ｃ１、すなわち指先の内側と対向して接触可能な導電素材からなる導電性母指部１ｂがそれぞれ形成されている。
導電性食指部１ａ及び導電性母指部１ｂを構成する導電素材は、導電性繊維や導電性糸を編み込んだ布帛、導電性シートや導電性フィルムなどからなり、手袋本体１の筒状部分において所定箇所に縫い付けるか、又は部分的に貼り付けるか若しくはラミネートすることなどで分離不能に固定配置される。
【００１１】
そして、導電性食指部１ａは、図１（ｂ）及び図２に示されるように、その親指側部位１ａ１の表面面積よりも中指側部位１ａ２の表面面積が広くなるように、立体的に形成されている。
導電性食指部１ａの具体例としては、中指側部位１ａ２における人差し指Ｂの長手方向への長さ寸法を、親指側部位１ａ１における人差し指Ｂの長手方向への長さ寸法よりも長尺に設定することで、中指側部位１ａ２の表面面積が親指側部位１ａ１の表面面積よりも広くなるように、立体的に構成している。
導電性母指部１ｂは、図１（ｂ）及び図２に示されるように、その人差し指側部位１ｂ１の表面面積よりも、それと逆向きの反対側部位１ｂ２の表面面積が広くなるように形成されている。
導電性母指部１ｂの具体例としては、人差し指側部位１ｂ１における親指Ｃの長手方向への長さ寸法よりも、反対側部位１ｂ２における親指Ｃの長手方向への長さ寸法を長尺に設定することで、人差し指側部位１ｂ１の表面面積よりも反対側部位１ｂ２の表面面積が広くなるように構成している。
【００１２】
さらに、導電性食指部１ａにおいて手袋本体１の掌部１ｐ側に配置される端縁部位１ａ３を、直線状で且つ傾斜するように形成することが好ましい。
導電性母指部１ｂにおいて手袋本体１の掌部１ｐ側に配置される端縁部位１ｂ３も、直線状で且つ傾斜するように形成することが好ましい。
詳しく説明すると、導電性食指部１ａとなる導電素材の端縁部位１ａ３と、導電性母指部１ｂとなる導電素材の端縁部位１ｂ３を、それぞれ直線状に傾斜するように裁断して縫い付けるか、又は部分的に貼り付けるか若しくはラミネートすることが好ましい。
図１（ｂ）及び図２に示される例では、手袋本体１の掌部１ｐ側において人差し指部分と親指部分のみを導電素材で構成して、導電性食指部１ａ及び導電性母指部１ｂとしている。
また、その他の例として図示しないが、手袋本体１の掌部１ｐ側において中指部分１ｃ、薬指部分１ｄ、小指部分１ｅのいずれか又はすべての指部分を導電素材で構成することも可能である。
【００１３】
ところで、手袋本体１の掌部１ｐ側の表面には、滑り止め部材３を設けて、タッチパネル（図示しない）を持った際に、タッチパネルが滑り落ちて破損することを防止することが好ましい。
図２に示される例では、手袋本体１の掌部１ｐ側の表面において、導電性食指部１ａ及び導電性母指部１ｂを除いた箇所に、滑り止め部材３が配置されるとともに、緩衝用パッド４が設けられたサイクリングなどのスポーツ用手袋である場合を示している。
タッチパネル（図示しない）の具体例としては、スマートフォンなどに搭載される、指が触れると発生する微弱な電流（静電気容量）の変化をセンサーで検知し、タッチした位置を把握する静電容量方式のタッチパネル、又はその他の方式のタッチパネルが挙げられる。
【００１４】
このような本発明の実施形態に係る手袋Ａによると、タッチパネルの操作時において、人差し指Ｂの腹部Ｂ１による指圧で、人差し指Ｂの腹部Ｂ１が手袋本体１の導電性食指部１ａを介して静電容量方式などのタッチパネルに接触するか、親指Ｃの腹部Ｃ１による指圧で、親指Ｃの腹部Ｃ１が手袋本体１の導電性母指部１ｂを介してタッチパネルに接触すると、人体とタッチパネルに亘り静電気などが通電して、手袋本体１を着用したままでタッチパネルが操作可能になる。
さらに、ピンチ操作時などのように、人差し指Ｂの腹部Ｂ１を、手袋本体１の導電性食指部１ａを介してタッチパネルと角度が付くように接触させても、導電性食指部１ａの親指側部位１ａ１の表面面積よりも中指側部位１ａ２の表面面積が広い。さらに親指Ｃの腹部Ｃ１を、手袋本体１の導電性母指部１ｂを介してタッチパネルと角度が付くように接触させても、導電性母指部１ｂの人差し指側部位１ｂ１の表面面積よりも反対側部位１ｂ２の表面面積が広い。そのため、タッチパネルとの接触面積が減らず、タッチパネルと人差し指Ｂの腹部Ｂ１や親指Ｃの腹部Ｃ１に伝わる通電量が保たれる。
したがって、ピンチ操作などのタッチ操作を確実に行うことができる。
その結果、ピンチ操作時などの指先をタッチパネルに対して傾ける操作であっても、手袋を外すことなく着用したままで行えて、操作性に優れて便利である。
【００１５】
特に、導電性食指部１ａにおいて手袋本体１の掌部１ｐ側に配置される端縁部位１ａ３を直線状で且つ傾斜するように形成し、導電性母指部１ｂにおいて手袋本体１の掌部１ｐ側に配置される端縁部位１ｂ３を直線状で且つ傾斜するように形成した場合には、導電性食指部１ａとなる導電素材の端縁部位１ａ３と、導電性母指部１ｂとなる導電素材の端縁部位１ｂ３をそれぞれ直線状に傾斜するように裁断して縫い付けることが可能となる。
したがって、導電性食指部１ａ及び導電性母指部１ｂの加工を容易にして手袋本体１全体の製造を簡素化することができる。
その結果、製造コストの低減化が図れる。
【００１６】
さらに、手袋本体１の掌部１ｐ側の表面において、導電性食指部１ａ及び導電性母指部１ｂを除いた箇所に、滑り止め部材３と緩衝用パッド４がそれぞれ設けられる場合には、サイクリングなどのスポーツ用手袋としても用いることが可能になる。
したがって、サイクリングなどのスポーツ用手袋であってもピンチ操作などのタッチ操作を確実に行うことができる。
その結果、サイクリングなどのスポーツを行いながら、手袋を外すことなく着用したままで行えて便利である。
次に、本考案の一実施例を図面に基づいて説明する。
【実施例】
【００１７】
この実施例は、図１（ａ）（ｂ）に示すように、手袋本体１となる外手袋の内側に内手袋２を備えた防寒用の二重手袋とした場合を示すものである。
タッチパネルの操作時には、人差し指Ｂの腹部Ｂ１による指圧で、人差し指Ｂの腹部Ｂ１が内手袋２及び手袋本体１の導電性食指部１ａを介して静電容量方式などのタッチパネルに接触すると、人体とタッチパネルに亘り静電気などが通電し、親指Ｃの腹部Ｃ１による指圧で、親指Ｃの腹部Ｃ１が内手袋２及び手袋本体１の導電性母指部１ｂを介してタッチパネルに接触すると、人体とタッチパネルに亘り静電気などが通電する構造でなっている。
【００１８】
内手袋２は、その掌部２ｐ側に、手袋本体（外手袋）１における外側の導電性食指部１ａと人差し指Ｂの腹部Ｂ１の間に設けられる内側導電性食指部２ａと、手袋本体１の外側の導電性母指部１ｂと親指Ｃの腹部Ｃ１の間に設けられる内側導電性母指部２ｂと、を有している。
内側導電性食指部２ａ及び内側導電性母指部２ｂは、前述した導電性食指部１ａ及び導電性母指部１ｂと同様に導電素材で構成される。
内側導電性食指部２ａ及び内側導電性母指部２ｂを構成する導電素材も同様に、導電性繊維を編み込んだ布帛などで、手袋本体１の一部に縫い付けるか、又は導電性シートや導電性フィルムなどで、手袋本体１の一部表面に対して部分的にラミネートするなどにより、分離不能に固定配置される。
【００１９】
図１（ｂ）に示される例では、内手袋２の掌部２ｐ側において人差し指部分と親指部分のみを導電素材で構成して、内側導電性食指部２ａ及び内側導電性母指部２ｂとしている。
さらに、内側導電性食指部２ａにおいて人差し指Ｂの長手方向への長さ寸法を、親指側部位２ａ１と中指側部位２ａ２を略同じに設定して、内手袋２の掌部２ｐの中心側に配置される端縁部位２ａ３を、傾斜しない直線状に形成している。
内側導電性母指部２ｂにおいて親指Ｃの長手方向への長さ寸法を、人差し指側部位２ａ１と反対側部位２ａ２を略同じに設定して、内手袋２の掌部２ｐの中心側に配置される端縁部位２ａ３を、傾斜しない直線状に形成している。
また、その他の例として図示しないが、手袋本体１の掌部１ｐ側において中指部分１ｃ、薬指部分１ｄ、小指部分１ｅのいずれか又は全部を導電素材で構成したり、内側導電性食指部２ａ及び内側導電性母指部２ｂを、前述した手袋本体（外手袋）１における外側の導電性食指部１ａ及び導電性母指部１ｂと同様な形状に形成したりすることも可能である。
【００２０】
そして、手袋本体（外手袋）１及び内手袋２は、互いに重ね合わされ、手袋本体１の導電性食指部１ａが内手袋２の内側導電性食指部２ａを介して人差し指Ｂの腹部Ｂ１と接触するとともに、手袋本体１の導電性母指部１ｂが内手袋２の内側導電性母指部２ｂを介して親指Ｃの腹部Ｃ１と接触するように配置されている。
必要に応じて手袋本体（外手袋）１及び内手袋２が位置ズレしないように、手袋本体（外手袋）１と内手袋２を一体化することが好ましい。
図１（ａ）に示される例では、各指部分の先端側及び挿入口１ｆ，２ｆに亘って縫い合わせ、この縫い合わせ部５で手袋本体（外手袋）１と内手袋２の位置ズレを防止している。
また、その他の例として図示しないが、手袋本体（外手袋）１と内手袋２の各指部分の先端側及び挿入口１ｆ，２ｆか、又はその他の箇所を接着剤などで移動不能に固着したり、マジックテープ（商標）などの面ファスナーやチャックなどの係止手段で手袋本体（外手袋）１と内手袋２を着脱自在に重ね合わせて用いたりすることも可能である。
【００２１】
さらに、手袋本体１の導電性食指部１ａと内手袋２の内側導電性食指部２ａは、通常、人差し指Ｂの腹部Ｂ１により指圧されていない時では分離されているが、タッチパネルに向け人差し指Ｂの腹部Ｂ１で指圧することにより、互いに接触して通電可能な状態になる。
手袋本体１の導電性母指部１ｂと内手袋２の内側導電性母指部２ｂも同様に、通常、親指Ｃの腹部Ｃ１により指圧されていない時では分離されているが、タッチパネルに向け親指Ｃの腹部Ｃ１で指圧することにより、互いに接触して通電可能な状態になる。
また、その他の例として図示しないが、手袋本体１の導電性食指部１ａ及び内手袋２の内側導電性食指部２ａと、手袋本体１の導電性母指部１ｂ及び内手袋２の内側導電性母指部２ｂは、導電素材からなる連結部材を介してそれぞれ通電可能に連結され、人差し指Ｂの腹部Ｂ１による指圧や親指Ｃの腹部Ｃ１による指圧の有無に関係なく、常時、通電状態にすることも可能である。
【００２２】
このような本考案の実施例１に係る手袋Ａによると、ピンチ操作時のように、人差し指Ｂの腹部Ｂ１を、内手袋２の内側導電性食指部２ａ及び手袋本体１の導電性食指部１ａを介してタッチパネルと角度が付くように接触させても、導電性食指部１ａの親指側部位１ａ１の（表面）面積よりも中指側部位１ａ２の（表面）面積が広い。さらに親指Ｃの腹部Ｃ１を、内手袋２の内側導電性母指部２ｂ及び手袋本体１の導電性母指部１ｂを介してタッチパネルと角度が付くように接触させても、導電性母指部１ｂの人差し指側部位１ｂ１の（表面）面積よりも反対側部位１ｂ２の（表面）面積が広い。そのため、タッチパネルとの接触面積が減らず、タッチパネルと人差し指Ｂの腹部Ｂ１や親指Ｃの腹部Ｃ１に伝わる通電量が保たれる。
したがって、内手袋２を備えた二重手袋であってもピンチ操作などのタッチ操作を確実に行うことができる。
その結果、ピンチ操作時などのように、人差し指や親指をその腹側に角度が付くようにタッチパネルと接触させると、人差し指や親指の腹側とタッチパネルの接触面積が著しく減り、タッチパネルから内布の導電性部材を介して人差し指や親指の腹側に伝わって流れる電気量も減少する従来のものに比べ、ピンチ操作時などの指先をタッチパネルに対して傾ける操作であっても、二重手袋を外すことなく着用したままで行えて、操作性に優れて便利であるという利点がある。
【００２３】
なお、前示実施例では、手袋本体１となる外手袋の内側に内手袋２を備えた防寒用の二重手袋とした場合を示したが、これに限定されず、手袋本体１のみで内手袋２を備えていない単層構造のグローブであってもよい。
【符号の説明】
【００２４】
１  手袋本体                            １ａ  導電性食指部
１ａ１  親指側部位                      １ａ２  中指側部位
１ａ３  端縁部位                        １ｂ  導電性母指部
１ｂ１  人差し指側部位                  １ｂ２  反対側部位
１ｂ３  端縁部位                        １ｐ  掌部
２  内手袋                              ２ａ  内側導電性食指部
２ｂ  内側導電性母指部                  ３  滑り止め部材
４  緩衝用パッド                        Ｂ  人差し指
Ｂ１  腹部                              Ｃ  親指
Ｃ１  腹部
【図１】
0003180443.tif 000003
【図２】
0003180443.tif 000004